(57)【要約】【課題】  駆動用電池の使用可能残量が少ないときに、急いで電池を交換しなければいけないと、利用者を慌てさせてしまうことを防止すること。【解決手段】  所定のページに区切られたコンテンツの各ページをコレステリック液晶パネルに切換表示させる電池駆動型の電子ブックリーダであって、前記電池の使用可能残量を検出し（ステップＳ１０２）、その検出された使用可能残量に基づいてコレステリック液晶パネルに切換表示可能なページ数を算出し（ステップＳ１０４）、その算出されたページ数をコレステリック液晶パネルに表示させるようにした（ステップＳ１０５）。【選択図】    図４
2005164672.tif 000002
【特許請求の範囲】
【請求項１】
表示対象であるコンテンツの各ページを記憶性表示体に切換表示させる電池駆動型の表示装置であって、
前記電池の残量を検出する残量検出手段と、その検出された残量と前記コンテンツのページの切換回数の対応関係を報知する報知手段とを備えたことを特徴とする表示装置。
【請求項２】
前記報知手段は、前記記憶性表示体に表示させるコンテンツを利用者に選択させるときに、前記対応関係を報知することを特徴とする請求項１に記載の表示装置。
【請求項３】
前記報知手段は、前記記憶性表示体に表示されているコンテンツの残りページの切換表示に要する消費電力を算出し、その算出結果と前記残量検出手段で検出された残量に基づいて前記報知を行うことを特徴とする請求項１に記載の表示装置。
【請求項４】
前記報知手段は、前記算出された消費電力を前記残量検出手段で検出された電池の残量から減じた値が所定閾値以下であるときに、その旨を報知することを特徴とする請求項３に記載の表示装置。
【請求項５】
前記算出された消費電力を前記残量検出手段で検出された電池の残量から減じた値が所定閾値以下であるときに、前記記憶性表示体に表示中のページから次ページへのみ切換表示可能とさせる表示動作制限手段を備えたことを特徴とする請求項３又は４に記載の表示装置。
【請求項６】
前記報知手段は、前記残量検出手段で検出された残量に基づいて前記記憶性表示体に切換表示可能な最大のページ数を算出し、その算出されたページ数に基づいて前記報知を行うことを特徴とする請求項１に記載の表示装置。
【請求項７】
前記報知手段は、前記算出されたページ数が基準ページ数以上であるときには、その旨を報知することを特徴とする請求項６に記載の表示装置。
【請求項８】
前記基準ページ数を、複数設定可能としたことを特徴とする請求項７に記載の表示装置。
【請求項９】
前記報知手段は、前記算出されたページ数が前記複数の基準ページ数のうち最も小さい基準ページ数より小さいときには、その算出されたページ数をそのまま報知することを特徴とする請求項８に記載の表示装置。
【請求項１０】
前記残量検出手段で検出された電池の残量の変化に基づいて前記切換表示によって消費された消費電力を算出する消費電力算出手段を備え、前記報知手段は、前記残量検出手段で検出された電池の残量と前記消費電力算出手段で算出された消費電力とに基づいて前記記憶性表示体に切換表示可能なページ数を算出することを特徴とする請求項６〜９のいずれか１項に記載の表示装置。
【請求項１１】
前記報知手段は、前記残量検出手段で検出された電池の残量と前記記憶性表示体の駆動方法とに基づいて前記記憶性表示体に切換表示可能なページ数を算出することを特徴とする請求項６〜１０のいずれか１項に記載の表示装置。
【請求項１２】
前記記憶性表示体の温度を検出する温度検出手段を備え、前記報知手段は、前記残量検出手段で検出された電池の残量と前記温度検出手段で検出された温度とに基づいて前記記憶性表示体に切換表示可能なページ数を算出することを特徴とする請求項６〜１１のいずれか１項に記載の表示装置。
【請求項１３】
稼働時間に応じて電力消費量が変化する特定回路に電力を供給する特定回路用電池と、前記切換表示のための電池とを備え、前記残量検出手段は、前記切換表示のための電池の残量を検出することを特徴とする請求項１〜１２のいずれか１項に記載の表示装置。
【請求項１４】
自装置の制御処理において生成されるデータの保存に用いられるメモリを、不揮発性メモリとしたことを特徴とする請求項１〜１３のいずれか１項に記載の表示装置。
【発明の詳細な説明】
【技術分野】
【０００１】
本発明は、表示対象であるコンテンツの各ページを記憶性表示体、つまり電力の供給を止めてもそれまでの表示内容を保持可能な表示体に切換表示させる電池駆動型の表示装置に関する。
【背景技術】
【０００２】
従来、この種の表示装置としては、例えば、所定のページに区切られた書籍等のコンテンツの各ページを、コレステリック液晶や電気泳動型表示体等の記憶性表示体に切換表示させ、利用者にコンテンツを閲覧させる電子書籍の表示装置がある。
また、例えば、ディスプレイに電池の残量をそのまま表示し、電池の交換や充電を促す携帯電話が知られている（例えば、特許文献１参照。）。また、ディスプレイに電池の残量に応じた使用可能時間を表示するノートパソコンも知られている。
【特許文献１】特開２００３−２３３４４３号公報
【発明の開示】
【発明が解決しようとする課題】
【０００３】
ところで、上記従来の技術を組み合わせ、コンテンツの各ページを記憶性表示体に切換表示させる表示装置に電池の残量をそのまま表示させるものにあっては、例えば、利用者がコンテンツを閲覧しているときに、電池の残量が少ないことを表示したとしても、現在の電池の残量で残りページを読み終わることができるのか否か判断することは難しい。
また、前記記憶性表示体を用いた表示装置は切換表示のときのみ電力を消費するようになっているため、電池の残量に応じた使用可能時間を規定することはできない。
【０００４】
そこで、本発明は、上記従来技術の未解決の問題点に着目してなされたものであって、記憶性表示体に適する残量報知を行う表示装置を提供することを課題とする。
【課題を解決するための手段】
【０００５】
上記課題を解決するために、第１の発明の表示装置は、表示対象であるコンテンツの各ページを記憶性表示体に切換表示させる電池駆動型の表示装置であって、前記電池の残量を検出する残量検出手段と、その検出された残量と前記コンテンツのページ数との対応関係を報知する報知手段とを備えたことを特徴とする。
また、第２の発明である表示装置は、前記報知手段は、前記記憶性表示体に表示させるコンテンツを利用者に選択させるときに、前記対応関係を報知することを特徴とする。
【０００６】
さらに、第３の発明である表示装置は、前記報知手段は、前記記憶性表示体に表示されているコンテンツの残りページの切換表示に要する消費電力を算出し、その算出結果と前記残量検出手段で検出された残量に基づいて前記報知を行うことを特徴とする。
また、第４の発明である表示装置は、前記報知手段は、前記算出された消費電力を前記残量検出手段で検出された電池の残量から減じた値が所定閾値以下であるときに、その旨を報知することを特徴とする。
【０００７】
さらに、第５の発明である表示装置は、前記算出された消費電力を前記残量検出手段で検出された電池の残量から減じた値が所定閾値以下であるときに、前記記憶性表示体に表示中のページから次ページへのみ切換表示可能とさせる表示動作制限手段を備えたことを特徴とする。
また、第６の発明の表示装置は、前記報知手段は、前記残量検出手段で検出された残量に基づいて前記記憶性表示体に切換表示可能な最大のページ数を算出し、その算出されたページ数に基づいて前記報知を行うことを特徴とする。
【０００８】
さらに、第７の発明の表示装置は、前記報知手段は、前記算出されたページ数が基準ページ数以上であるときには、その旨を報知することを特徴とする。
また、第８の発明の表示装置は、前記基準ページ数を、複数設定可能としたことを特徴とする。
さらに、第９の発明の表示装置は、前記報知手段は、前記算出されたページ数が前記複数の基準ページ数のうち最も小さい基準ページ数より小さいときには、その算出されたページ数をそのまま報知することを特徴とする。
【０００９】
これら第１〜第９の発明によれば、閲覧しているコンテンツの残りページを現在の電池の残量で読み終わることができるのか否かを容易に判断できる表示、つまり記憶性表示体に適する残量報知を行うことができる。
また、第４の発明によれば、次ページへの切換表示以外の動作を利用者に禁止させることができ、それらの動作によって電力が消費されることを防止し、表示されているコンテンツを最後のページまで切換表示可能とすることができる。
【００１０】
さらに第５の発明によれば、次ページへの切換表示以外の動作によって電力が消費されてしまうことを防止でき、表示されているコンテンツを最後のページまで切換表示可能とすることができる。
また、第１０の発明である表示装置は、前記残量検出手段で検出された電池の残量の変化に基づいて前記切換表示によって消費された消費電力を算出する消費電力算出手段を備え、前記報知手段は、前記残量検出手段で検出された電池の残量と前記消費電力算出手段で算出された消費電力とに基づいて前記記憶性表示体に切換表示可能なページ数を算出することを特徴とする。
【００１１】
さらに、第１１の発明である表示装置は、前記報知手段は、前記残量検出手段で検出された電池の残量と前記記憶性表示体の駆動方法とに基づいて前記記憶性表示体に切換表示可能なページ数を算出することを特徴とする。
また、第１２の発明である表示装置は、前記記憶性表示体の温度を検出する温度検出手段を備え、前記報知手段は、前記残量検出手段で検出された電池の残量と前記温度検出手段で検出された温度とに基づいて前記記憶性表示体に切換表示可能なページ数を算出することを特徴とする。
【００１２】
さらに、第１３の発明である表示装置は、稼働時間に応じて電力消費量が変化する特定回路に電力を供給する特定回路用電池と、前記切換表示のための電池とを備え、前記残量検出手段は、前記切換表示のための電池の残量を検出することを特徴とする。
また、第１４の発明である表示装置は、自装置の制御処理において生成されるデータの保存に用いられるメモリを、不揮発性メモリとしたことを特徴とする。
【００１３】
これら第１０〜第１４の発明によれば、記憶性表示体による電力消費量を適切に算出することができ、記憶性表示体に切換表示可能なページ数等を精度よく算出することができる。
【発明を実施するための最良の形態】
【００１４】
以下、本発明に係る画像表示装置として、所定のページに区切られた電子ブックのコンテンツを閲覧するための電子ブックリーダの実施形態を図面に基づいて説明する。
図１は、本発明の一実施形態の外形を示す概略構成図であり、図２は、本発明の一実施形態の内部構成を示すブロック図である。この図２に示すように、電子ブックリーダ１は、ＣＰＵ（Central Processing Unit ）２、ＲＡＭ（Random Access Memory）３、ＲＯＭ４、ページ送りボタン５、ページ戻しボタン６、連続送りボタン７及び決定ボタン８が接続されたＩ／Ｏ９、ＶＲＡＭ（Video Ram）１０、ディスプレイコントローラ１１、表示装置１２、タッチパネル１３が接続されたタッチパネルＩ／Ｏ１４、電池残量検出回路１５及び表示体用温度センサ１６で構成され、ページ送りボタン５、ページ戻しボタン６、連続送りボタン７、決定ボタン８、表示装置１２、タッチパネル１３及び表示体用温度センサ１６を除く各部はバス１８で互いに信号を授受可能に接続されている。
【００１５】
これらのうちＣＰＵ２は、ＲＯＭ４に格納された基本制御プログラムやアプリケーションプログラム等の各種プログラム及びデータを読み込み、それら各種プログラム及びデータをＲＡＭ３内に設けられるワークエリアに展開実行して、電子ブックリーダが備える各部の制御を実行する。また、ＣＰＵ２は、Ｉ／Ｏ９から後述するページ送り信号が出力されていると、表示装置１２に表示されているコンテンツの次ページのコンテンツの画像データ（以下、ラスタデータとも呼ぶ。）を生成し、そのラスタデータをＶＲＡＭ１０に格納させる。
【００１６】
さらに、ＣＰＵ２は、Ｉ／Ｏ９から後述するページ戻し信号が出力されていると、表示装置１２に表示されているコンテンツの前ページのコンテンツのラスタデータを生成し、そのラスタデータをＶＲＡＭ１０に格納させる。また、Ｉ／Ｏ９から後述する連続送り信号が出力されていると、表示装置１２に表示されているコンテンツの次ページのコンテンツのラスタデータを次々と生成し、そのラスタデータをＶＲＡＭ１０に次々と格納させる。
【００１７】
さらに、ＣＰＵ２は、ページ送りボタン５、ページ戻しボタン６、連続送りボタン７及び決定ボタン８のいずれかが押下操作されるたびに、後述する表示可能ページ数表示処理を実行し、現在の駆動用電池の残量で表示可能なページ数（表示可能ページ数）を示す画像のラスタデータを生成し、そのラスタデータをＶＲＡＭ１０に格納させる。
また、ＣＰＵ２は、ページ送りボタン５、ページ戻しボタン６、連続送りボタン７及び決定ボタン８のいずれかが押下操作されるたびに、後述する表示動作制限処理を実行し、コンテンツの残りページの切換表示に要する消費電力を駆動用電池の使用可能残量から減じた減算結果が所定閾値以下であるときに、後述するページ戻し信号の出力と連続送り信号の出力とをＩ／Ｏ９に禁止させる禁止信号をＩ／Ｏ９に出力する。
【００１８】
また、ＲＡＭ３は、ＣＰＵ２が各種プログラムに従って上記処理を実行するときに、各種プログラムを展開するワークエリアを形成するとともに、ＣＰＵ２により実行される各種処理に係るデータを展開するためのメモリ領域を形成する。なお、ＲＡＭ３としては、ＦｅＲＡＭ（Ferroelectric Random Access Memory）やＭＲＡＭ(Magnetoresistive random access memory)等の不揮発性メモリを使用する。
【００１９】
このように本実施形態の電子ブックリーダ１にあっては、ＲＡＭ３として不揮発性メモリを使用するようにしたため、利用者によるコンテンツの閲覧時間に関わらず、１ページ分のコンテンツの表示に消費されるＲＡＭ３の消費電力を一定とすることができ、表示可能ページ数を容易に算出することができる。ちなみに、ＲＡＭ３として前記駆動用電池の電力を消費するDRAM等の不揮発性メモリを使用する方法では、コンテンツの閲覧時間に応じてＲＡＭ３の消費電力が変化してしまい、表示可能ページ数を精度よく算出することが困難となる。
【００２０】
さらに、ＲＯＭ４は、ＣＰＵ２により実行される基本制御プログラム、各種アプリケーションプログラム及びこれら各プログラムに係るデータ等を格納する。そして、ＲＯＭ４は、ＣＰＵ２からの読み出し要求に従って、それら各種プログラムやデータをＣＰＵ２に出力する。なお、ＲＯＭ４内の各種プログラム及びデータは、いずれもＣＰＵ２により 読み取り及び実行可能な形式で格納されている。
【００２１】
また、Ｉ／Ｏ９は、次ページのコンテンツを表示装置１２に切換表示させるためのページ送りボタン５、前ページのコンテンツを表示装置１２に切換表示させるためのページ戻しボタン６、次ページのコンテンツを表示装置１２に次々と切換表示させるための連続送りボタン７及び決定ボタン８が接続されている。そして、ページ送りボタン５が押下操作されるとページ送り信号をＣＰＵ２に出力する。また、ＣＰＵ２から禁止信号が出力されているか否かを判定し、禁止信号が出力されていない場合には、ページ戻しボタン６が押下操作されるとページ戻し信号をＣＰＵ２に出力し、連続送りボタン７が押下操作されると連続送り信号をＣＰＵ２に出力し、禁止信号が出力されている場合には、ページ戻し信号の出力と連続送り信号の出力とを禁止する。
【００２２】
さらに、ＶＲＡＭ１０は、ＣＰＵ２からの書き込み要求に従って、ラスタデータを格納するとともに、ディスプレイコントローラ１１からの読み出し要求に従って、そのラスタデータをディスプレイコントローラ１１に出力する。
また、ディスプレイコントローラ１１は、ＶＲＡＭ１０に格納されているラスタデータを読み出し、その読み出されたラスタデータに基づいてゲートドライバ駆動用データ及びソースドライバ駆動用データを生成する。そして、その生成されたゲートドライバ駆動用データ及びソースドライバ駆動用データを表示装置１２の後述するゲートドライバ２０及びソースドライバ２１に分配出力する。
【００２３】
また、表示装置１２は、複数の画素がアレイ状に形成されたコレステリック液晶パネル１９、つまり電力の供給を止めてもそれまでの表示内容を保持可能な液晶からなるパネルを中央に有し、そのコレステリック液晶パネル１９の平面視左側には、ゲートドライバ２０が配され、平面視上側には、ソースドライバ２１が配されている。そして、ディスプレイコントローラ１１から出力されるゲートドライバ駆動用データ及びソースドライバ駆動用データに従って、任意の画素に前記所定の電圧をゲートドライバ２０及びソースドライバ２１が印加し、コンテンツの画像をコレステリック液晶パネル１９に表示する。なお、コレステリック液晶パネル１９の駆動方式としては、１走査線ずつ描画するシングルライン駆動方式や複数走査線を同時に描画するマルチライン駆動方式等を挙げることができる。
【００２４】
また、タッチパネルＩ／Ｏ１４は、コレステリック液晶パネル１９の前面側を覆うタッチパネル１３が接続されている。そして、タッチパネル１３が押圧操作されると操作位置を示すタッチパネル信号をＣＰＵ２に出力する。
さらに、電池残量検出回路１５は、図３に示すように、Ａ／Ｄコンバータ２２、電圧データラッチ２３、電池用温度センサ２４、内部ＲＯＭ２５、制御回路２６及び演算器２７を有する。
【００２５】
これらのうちＡ／Ｄコンバータ２２は、電子ブックリーダ１の駆動用電池の電圧データを検出し、その検出された電圧データをデジタル化し、そのデジタル化された電圧を電圧データラッチ２３に出力する。
また、電圧データラッチ２３は、Ａ／Ｄコンバータ２２から出力されるデジタル化された電圧データをラッチし、そのラッチされた電圧データを演算器２７に出力する。
【００２６】
さらに、電池用温度センサ２４は、電子ブックリーダ１の駆動用電池の温度を検出し、その検出された温度を制御回路２６に出力する。
また、内部ＲＯＭ２５は、電子ブックリーダ１の駆動用電池の温度と閾値電圧との関係、つまり駆動用電池の温度特性を示す制御マップを格納する。そして、内部ＲＯＭ２５は、制御回路２６からの読み出し要求に従って、その制御マップのデータを制御回路２６に出力する。なお、内部ＲＯＭ２５内の制御マップのデータは、いずれも制御回路２６により 読み取り可能な形式で格納されている。
【００２７】
さらに、制御回路２６は、内部ＲＯＭ２５に格納された制御マップを読み込み、その制御マップを参照し、電池用温度センサ２４で検出された温度に基づいて電子ブックリーダ１の駆動用電池の閾値電圧を算出し、その算出された閾値電圧を演算器２７に出力する。
また、演算器２７は、電圧データラッチ２３から出力される電圧データと制御回路２６から出力される閾値電圧とに基づいて電子ブックリーダ１の駆動用電池が出力可能な電力、つまり駆動用電池の使用可能残量を算出し、その算出された駆動用電池の使用可能残量をＣＰＵ２に出力する。
【００２８】
このように、本実施形態にかかる電子ブックリーダ１にあっては、電子ブックリーダ１の駆動用電池の温度特性を示す制御マップに基づいて、駆動用電池の使用可能残量を算出するようにしたため、駆動用電池の使用可能残量を適切に算出することができる。
また、表示体用温度センサ１６は、コレステリック液晶パネル１９の温度を検出し、その検出された温度をＣＰＵ２及びディスプレイコントローラ１１に出力する。なお、表示体用温度センサ１６としては、温度変化に対して極めて大きな抵抗値変化を示すサーミスタを使用し、その出力電圧を測定することによって、コレステリック液晶パネル１９の温度を検出する。
【００２９】
次に、表示可能ページ数を表示装置１２に表示させる表示可能ページ数表示処理を、図４のフローチャートに従って説明する。この表示可能ページ数表示処理は、ページ送りボタン５、ページ戻しボタン６、連続送りボタン７及び決定ボタン８のいずれかが押下操作されると実行される処理であって、まずそのステップＳ１０１では、表示体用温度センサ１６で検出されたコレステリック液晶パネル１９の温度を読み込む。
【００３０】
次にステップＳ１０２に移行して、電池残量検出回路１５で検出された電子ブックリーダ１の駆動用電池の使用可能残量を読み込む。
次にステップＳ１０３に移行して、図５のデータテーブルを参照し、前記ステップＳ１０１で読み込まれた温度に基づいて１ページ分のコンテンツの画像をコレステリック液晶パネル１９に切換表示させるのに必要な電力（１ページ消費電力）を算出する。データテーブルは、図５に示すように、コレステリック液晶パネル１９の温度と駆動方式とに基づいて１ページ消費電力が設定されている。
【００３１】
このように本実施形態の電子ブックリーダ１によれば、コレステリック液晶パネル１９の温度や駆動方式に基づいて１ページ諸費電力を算出するようにしたため、コレステリック液晶パネル１９による電力消費量を適切に算出することができ、コレステリック液晶パネル１９に切換表示可能なページ数等を精度よく算出することができる。
次にステップＳ１０４に移行して、前記ステップＳ１０２で読み込まれた駆動用電池の使用可能残量を前記ステップＳ１０３で読み出された１ページ消費電力で除算し、その除算結果を表示可能ページ数とする。
【００３２】
次にステップＳ１０５に移行して、前記ステップＳ１０４で算出された表示可能ページ数を示す画像のラスタデータを生成し、そのラスタデータをＶＲＡＭ１０に格納させてから、この演算処理を終了する。
次に、コンテンツの残りページの切換表示に要する消費電力から駆動用電池の使用可能残量を減じた減算結果が所定閾値以下であるときに、ページ戻し信号の出力と連続送り信号の出力とをＩ／Ｏ９に禁止させる表示動作制限処理を、図６のフローチャートに従って説明する。この表示動作制限処理は、ページ送りボタン５、ページ戻しボタン６、連続送りボタン７及び決定ボタン８のいずれかが押下操作されると実行される処理であって、まずそのステップＳ２０１では、表示体用温度センサ１６で検出されたコレステリック液晶パネル１９の温度を読み込む。
【００３３】
次にステップＳ２０２に移行して、電池残量検出回路１５で検出された電子ブックリーダ１の駆動用電池の使用可能残量を読み込む。
次にステップＳ２０３に移行して、図５のデータテーブルを参照し、前記ステップＳ２０１で読み込まれた温度に基づいて１ページ消費電力を算出する。
次にステップＳ２０４に移行して、コレステリック液晶パネル１９に表示されているコンテンツの残りページ数に前記ステップＳ２０３で検出された１ページ書き換え消費電力を乗算し、その乗算結果を前記残りページ分のコンテンツの画像をコレステリック液晶パネル１９に切換表示させるのに必要な電力（残りページ表示消費電力）とする。なお、コレステリック液晶パネル１９に表示されているコンテンツの残りページ数の算出方法としては、以下に示す方法が挙げられる。すなわち、まず次ページのコンテンツが表示されるたびに専用カウンタをカウントアップし、また前ページのコンテンツが表示されるたびに前記専用カウンタをカウントダウンする。そして、それらカウントアップ等された前記専用カウンタのカウント値を現在表示されているコンテンツのページ番号であるとし、そのページ番号を前記コンテンツの総ページ数から減算し、その減算結果を残りページ数とする。
【００３４】
次にステップＳ２０５では、前記ステップＳ２０２で読み込まれた駆動用電池の使用可能残量から前記ステップＳ２０４で算出された残りページ表示電力を減算し、その減算結果が所定閾値以下であるか否かを判定し、所定値以下である場合には（Ｙｅｓ）ステップＳ２０６に移行し、そうでない場合には（Ｎｏ）そのままこの演算処理を終了する。
前記ステップＳ２０６では、ページ戻し信号の出力と連続送り信号の出力とをＩ／Ｏ９に禁止させる禁止信号をＩ／Ｏ９に出力してから、この演算処理を終了する。
【００３５】
次に、本実施形態の電子ブックリーダ１の動作を具体的状況に基づいて説明する。
まず、利用者がページ送りボタン５を押下操作したとする。すると、ＣＰＵ２で、表示可能ページ数表示処理が実行され、図４に示すように、まずそのステップＳ１０１で、コレステリック液晶パネル１９の温度が読み込まれ、ステップＳ１０２で、電子ブックリーダ１の駆動用電池の使用可能残量が読み込まれる。また、ステップＳ１０３で、図５のデータテーブルが参照され、前記温度に基づいて１ページ消費電力が算出され、ステップＳ１０４で、前記駆動用電池の使用可能残量が前記１ページ消費電力で除算され、その除算結果が表示可能ページ数とされる。そして、ステップＳ１０５で、前記表示可能ページ数を示す画像のラスタデータが生成され、そのラスタデータがＶＲＡＭ１０に格納され、この演算処理が終了される。
【００３６】
次に、ディスプレイコントローラ１１で、ＶＲＡＭ１０に格納されているラスタデータが読み出され、その読み出されたラスタデータに基づいてゲートドライバ駆動用データ及びソースドライバ駆動用データが生成される。また、その生成されたゲートドライバ駆動用データ及びソースドライバ駆動用データに含まれる駆動電力の大きさが表示体用温度センサ１６で検出された温度に基づいて補正され、その補正結果が表示装置１２のゲートドライバ２０及びソースドライバ２１に分配出力される。そして、表示装置１２で、ゲートドライバ駆動用データ及びソースドライバ駆動用データに従って、任意の画素に所定の電圧がゲートドライバ２０及びソースドライバ２１で印加され、図７に示すように、前記表示可能ページ数を示す画像がコレステリック液晶パネル１９に表示される。
【００３７】
このように本実施形態の電子ブックリーダ１によれば、閲覧しているコンテンツの残りページを現在の電池の残量で読み終わることができるのか否かを容易に判断できる表示、つまり記憶性表示体に適する残量報知を行うことができる。したがって、例えば、駆動用電池の使用可能残量で切換表示できるページ数が少ないときには、ページ送り以外の操作を極力避けた閲覧方法とするというように、利用者は駆動用電池の使用可能残量に応じた適切な閲覧方法を採用することができる。
【００３８】
また同時に、ＣＰＵ２で、表示動作制限処理が実行され、図６に示すように、まずそのステップＳ２０１で、コレステリック液晶パネル１９の温度が読み込まれ、ステップＳ２０２で、電子ブックリーダ１の駆動用電池の使用可能残量が読み込まれる。また、ステップＳ２０３で、図５のデータテーブルが参照され、前記温度に基づいて１ページ消費電力が算出され、ステップＳ２０４で、表示されているコンテンツの残りページ数に前記１ページ書き換え消費電力が乗算され、その乗算結果が残りページ表示消費電力とされる。そして、駆動用電池の使用可能残量から残りページ表示電力を減算した減算結果が所定閾値以下であるとすると、ステップＳ２０５の判定が「Ｙｅｓ」となり、ステップＳ２０６で、禁止信号がＩ／Ｏ９に出力され、この演算処理が終了される。
【００３９】
このように本実施形態の電子ブックリーダ１によれば、前ページへの切換表示等が禁止され、次ページへの切換表示以外に消費される消費電力を小さくすることができ、閲覧しているコンテンツを最後のページまで切換表示することができる。また、既に閲覧しているコンテンツの残りページ全ては、駆動用電池の使用可能残量では表示できないようなときであっても、できるだけ多くのページを表示させることができる。
【００４０】
なお、上記実施形態によれば、図２の電池残量検出回路１５及び図３のステップＳ１０２が残量検出手段を構成し、以下同様に、図２のＣＰＵ２及び図３のステップＳ１０４がページ数算出手段を構成し、図３のステップＳ１０５が報知手段を構成し、図２の表示体用温度センサ１６が温度検出手段を構成し、図６のステップＳ２０４が第３消費電力算出手段を構成し、図６のステップＳ２０６が表示動作制限手段を構成し、図２のＲＡＭ３がコンテンツデータ格納手段を構成し、図２のＣＰＵ２が表示制御手段を構成する。
【００４１】
また、本発明の表示装置は、上記実施の形態の内容に限定されるものではなく、本発明の趣旨を逸脱しない範囲で適宜変更可能である。
例えば、上記実施形態では、電子ブックリーダ１の駆動用電池の電圧に基づいて当該駆動用電池の使用可能残量を算出する例を示したが、これに限られるものではなく、例えば、電流検出用の抵抗にかかる電圧をＡ／Ｄコンバータ２２で定期的に検出し、その検出毎に得られる電流を逐次加算し、その逐次加算された電流量を駆動用電池の使用可能な総電流量から差し引いて、駆動用電池の使用可能残量を算出するようにしてもよい。
【００４２】
また、コレステリック液晶パネル１９を用いる例を示したが、これに限られるものではなく、例えば、電気泳動ディスプレイ等他の記憶性表示体を用いるようにしてもよい。
さらに、電子ブックリーダ１の駆動用電池とは別に、タッチパネル１３、タッチパネルＩ／Ｏ１４及び表示体用温度センサ１６等といった、電子ブックリーダ１の使用時間に応じて電力消費量が変化する特定回路に電力を供給する特定回路用電池を設けてもよい。
【００４３】
また、ＲＡＭ３として不揮発性メモリを使用する例を示したが、これに限られるものではなく、例えば、図８に示すように、ＤＲＡＭ等の揮発性メモリを使用し、電子ブックリーダ１の駆動用電池とは別に、ＲＡＭ３用に専用電池を用意してもよい。また、ＲＡＭ３に専用電池を用意するときには、その専用電池の使用可能残量をコレステリック液晶パネル１９に表示するようにしてもよい。
【００４４】
さらに、コンテンツの残りページの切換表示に要する消費電力を駆動用電池の使用可能残量から減じた減算結果が所定閾値以下であるときに、ページ戻し信号の出力と連続送り信号の出力とをＩ／Ｏ９に禁止させる例を示したが、これに限られるものではなく、例えば、駆動用電池の使用可能残量と前記消費電力との差が小さい旨を報知し、利用者に注意を促すようにしてもよい。この報知の方法としては、例えば、コレステリック液晶パネル１９にその旨を表示させるようにしてもよいし、他のサブディスプレイ等に表示させるようにしてもよい。また、スピーカ等に音声で報知させるようにしてもよい。
【００４５】
さらに、予め定められたデータテーブルを参照して１ページ消費電力を算出する例を示したが、これに限られるものではなく、例えば、１ページ分のコンテンツの切換表示を行うたびに、その切換表示前の駆動用電池の使用可能残量から当該切換表示後の駆動用電池の使用可能残量を減じ、その減算結果を１ページ消費電力とするようにしてもよい。なお、１ページ分の切換表示前の駆動用電池の使用可能残量と当該切換表示後の駆動用電池の使用可能残量の算出方法としては、その切換表示前に電圧データラッチ２３にラッチされていた電圧データに基づいて当該切換表示前の駆動用電池の使用可能残量を算出し、また当該切換表示後に電圧データラッチ２３にラッチされている電圧データに基づいて当該切換表示後の駆動用電池の使用可能残量を算出する方法が挙げられる。
【００４６】
また、１ページ消費電力を算出する方法によれば、新たに算出された１ページ消費電力に基づいてデータテーブルを補正するようにしてもよく、そのようにすれば、コレステリック液晶パネル１９の消費電力のバラツキを適切に補正することができ、表示可能ページ数をより精度よく算出することができる。なお、データテーブルの補正時には、それまでデータテーブルに格納されていた１ページ消費電力と新たに算出された１ページ消費電力との間の平均値を補正結果としてもよく、それまでのデータテーブルに格納されていた１ページ消費電力に新たに算出された１ページ消費電力よりも大きい重みをつけて加算算出するようにしてもよい。
【００４７】
さらに、表示可能ページ数をそのままコレステリック液晶パネル１９に表示する例を示したが、これに限られるものではなく、例えば、電子ブックリーダ１の表示可能ページ数に所定の基準ページ数を設け、例えば、表示可能ページ数が基準ページ数である１０００ページ以上である場合には、図９に示すように、「後１０００ページ以上閲覧可能です。」と表示するようにしてもよい。また、基準ページ数以上のページを切換表示可能であるときにその旨を報知する場合には、例えば、その基準ページ数を複数設定するようにしてもよい。すなわち、例えば、基準ページ数として１０００ページと５００ページとを設定し、表示可能ページ数が１０００ページ以下となってからは、「後１０００ページ以上閲覧可能です。」という表示に代えて、「後５００ページ以上閲覧可能です。」と表示されるようにしてもよい。なおその際、表示可能ページ数が複数の基準ページ数のうち最も小さい基準ページ数より小さくなってからは、その表示可能ページ数をそのまま、つまり１ページ単位で表示するようにしてもよい。
【００４８】
また、図５にコレステリック液晶パネル１９の温度を０℃〜６０℃の範囲で１０℃毎に区切ったデータテーブルを用意する例を示したが、これに限られるものではなく、５℃毎に区切ったテーブルを用意するようにしていてもよい。また、１ページ消費電力がコレステリック液晶パネル１９の温度変化に応じて線形的に変化する記憶性表示体でなく、所定温度より小さいときに一定となり、所定温度以上であるときに指数的に変化する記憶性表示体である場合には、コレステリック液晶パネル１９の温度変化が所定温度より小さいときに温度の区切りを粗くし、所定温度以上であるときに温度の区切りを細かくするようにしてもよい。
【００４９】
さらに、表示可能ページ数をコンテンツと一緒に表示する例を示したが、これに限られるものではなく、例えば、図１０に示すように、コレステリック液晶パネル１９に表示させるコンテンツを利用者に選択させるときに、選択可能なコンテンツである書籍の背表紙の画像と一緒に表示するようにしてもよく、そのようにすれば、コンテンツを選択するための指標とすることができる。また、図１１に示すように、コンテンツを選択するときには書籍の背表紙の画像に重ねて、対応するコンテンツに含まれる切換表示可能なページ数の割合を示す棒グラフをそれぞれ表示させるようにしてもよい。そのようにすれば、現在の駆動用電池の使用可能残量で各コンテンツの何パーセントを読むことができるのかを知ることができ、コンテンツを選択するためのより分かりやすい指標とさせることができる。また、駆動用電池の使用可能残量で読み切ることができるコンテンツがない場合には、例えば、コンテンツの終盤近辺で電池切れが発生するコンテンツよりも、中盤部分で電池切れが発生するコンテンツを選択することもできる。すなわち、コンテンツの終盤近辺まで読み進んだにも関わらず、電池切れで読み終われないというストレスを与えてしまうことを防止することができる。
【図面の簡単な説明】
【００５０】
【図１】本発明の実施形態の電子ブックリーダの概略構成図である。
【図２】図１の電子ブックリーダの内部構成を示すブロック図である。
【図３】図２の電池残量検出回路の内部構成を示すブロック図である。
【図４】表示可能ページ数表示処理を示すフローチャートである。
【図５】図４の表示可能ページ数表示処理で参照されるデータテーブルである。
【図６】表示動作制限処理を示すフローチャートである。
【図７】実施形態の動作を説明するための説明図である。
【図８】本発明の変形例を説明するためのブロック図である。
【図９】本発明の変形例を説明するための説明図である。
【図１０】本発明の変形例を説明するための説明図である。
【図１１】本発明の変形例を説明するための説明図である。
【符号の説明】
【００５１】
１は電子ブックリーダ、２はＣＰＵ（ページ数算出手段、表示制御手段）、３はＲＡＭ（コンテンツデータ格納手段）、４はＲＯＭ、５はページ送りボタン、６はページ戻しボタン、７は連続送りボタン、８は決定ボタン、９はＩ／Ｏ、１０はＶＲＡＭ、１１はディスプレイコントローラ、１２は表示装置、１３はタッチパネル、１４はタッチパネルＩ／Ｏ、１５は電池残量検出回路（残量検出手段）、１６は表示体用温度センサ（温度検出手段）、１８はバス、１９はコレステリック液晶パネル、２０はゲートドライバ、２１はソースドライバ、２２はコンバータ、２３は電圧データラッチ、２４は電池用温度センサ、２５は内部ＲＯＭ、２６は制御回路、２７は演算器
【図１】
2005164672.tif 000003
【図２】
2005164672.tif 000004
【図３】
2005164672.tif 000005
【図４】
2005164672.tif 000006
【図５】
2005164672.tif 000007
【図６】
2005164672.tif 000008
【図７】
2005164672.tif 000009
【図８】
2005164672.tif 000010
【図９】
2005164672.tif 000011
【図１０】
2005164672.tif 000012
【図１１】
2005164672.tif 000013